(57)【要約】    【課題】  滑らかで良質な動画表示が得られるようにした場合であっても光利用効率が大幅に低下しないプロジェクタを提供する。    【解決手段】  第１レンズアレイの各小レンズは、照明装置から射出される照明光束を、液晶装置の画像形成領域における横方向については画像形成領域の全体を、縦方向についてはその画像形成領域の一部を照明するような断面形状を有する照明光束とするように、縦方向に圧縮された断面形状を有し、照明装置と液晶装置との間に、液晶装置の画面書込み周波数に同期して画像形成領域上でｙ軸方向に沿って照明光束を走査する回転プリズムをさらに備え、第１レンズアレイは、複数の小レンズとして、周辺領域に配置される複数の第１小レンズ１２２と、中心領域に配置される複数の第２小レンズ１２４とを有し、第２小レンズは、第１小レンズよりも小さく、かつ、第１小レンズよりも第２レンズアレイに近接して配置されているプロジェクタ。【選択図】  図６
2006065151.tif 000002
【特許請求の範囲】
【請求項１】
被照明領域側に略平行な照明光束を射出する光源装置と、前記光源装置から射出される照明光束を複数の部分光束に分割するための複数の小レンズを有する第１レンズアレイと、前記第１レンズアレイの前記複数の小レンズに対応する複数の小レンズを有する第２レンズアレイと、前記第２レンズアレイから射出される各部分光束を被照明領域で重畳させるための重畳レンズとを有する照明装置と、
前記照明装置から射出される照明光束を画像情報に応じて変調する電気光学変調装置と、
前記電気光学変調装置によって変調される照明光束を投写する投写光学系とを備え、
前記第１レンズアレイにおける各小レンズは、前記照明装置から射出される照明光束を、前記電気光学変調装置の画像形成領域における縦横方向のうちいずれか一方方向については画像形成領域の全体を、他方方向についてはその画像形成領域の一部を照明するような断面形状を有する照明光束とするように、前記他方方向に圧縮された平面形状を有し、
前記照明装置と前記電気光学変調装置との間に、前記電気光学変調装置の画面書込み周波数に同期して前記画像形成領域上で前記他方方向に沿って前記照明光束を走査する走査手段をさらに備えたプロジェクタであって、
前記第１レンズアレイは、前記複数の小レンズとして、前記第１レンズアレイの周辺領域に配置される複数の第１小レンズと、前記第１レンズアレイの中心領域に配置される複数の第２小レンズとを有し、
前記第２小レンズは、前記第１小レンズよりも小さく、かつ、前記第１小レンズよりも前記第２レンズアレイに近接して配置されていることを特徴とするプロジェクタ。
【請求項２】
請求項１に記載のプロジェクタにおいて、
前記中心領域と前記周辺領域とは列で分離されていることを特徴とするプロジェクタ。
【請求項３】
請求項２に記載のプロジェクタにおいて、
前記第１レンズアレイにおける前記複数の小レンズは、前記一方方向に沿って４列に配列されており、前記第２小レンズは中央の２列に配置されており、前記第１小レンズは両側の１列ずつに配置されていることを特徴とするプロジェクタ。
【請求項４】
請求項１に記載のプロジェクタにおいて、
前記中心領域と前記周辺領域とは光源光軸からの距離で分離されていることを特徴とするプロジェクタ。
【請求項５】
請求項１〜４のいずれかに記載のプロジェクタにおいて、
前記第１小レンズは、第１レンズアレイの光入射面に形成され、前記第２小レンズは、第１レンズアレイの光射出面に形成されていることを特徴とするプロジェクタ。
【請求項６】
請求項１〜４のいずれかに記載のプロジェクタにおいて、
前記第１小レンズ及び前記第２小レンズはともに、第１レンズアレイの光入射面又は光射出面のいずれかに形成されていることを特徴とするプロジェクタ。
【請求項７】
請求項１〜６のいずれかに記載のプロジェクタにおいて、
前記光源装置は、発光管と、前記発光管からの光を反射する楕円面リフレクタと、前記楕円面リフレクタで反射される光を略平行光にする平行化レンズと、前記発光管から被照明領域側に射出される光を前記発光管に反射する補助ミラーとを有し、
前記補助ミラーは、前記第１レンズアレイの光入射面上の照明光束の断面における、前記他方方向に沿った長さが前記一方方向に沿った長さよりも短くなるように、反射凹面の一部が削除された形状を有し、
前記楕円面リフレクタは、前記発光管からの光が前記補助ミラーで反射されずに通過すると仮定した場合に、前記通過する光を反射するために要する反射凹面の部分が削除された形状を有することを特徴とするプロジェクタ。
【請求項８】
請求項１〜７のいずれかに記載のプロジェクタにおいて、
前記第１レンズアレイは、前記楕円面リフレクタの第２焦点より楕円面リフレクタ側に光入射面を有し、この光入射面上で前記光源装置から射出される照明光束の光量が全体にわたって分布するような位置に配置されていることを特徴とするプロジェクタ。
【請求項９】
請求項１〜８のいずれかに記載のプロジェクタにおいて、
前記照明装置と前記電気光学変調装置との間に、前記照明装置から射出される照明光束を複数の色光に分離するための色分離光学系をさらに備え、
前記電気光学変調装置として、前記色分離光学系から射出される複数の色光をそれぞれの色光に対応する画像情報に応じて変調する複数の電気光学変調装置が設けられていることを特徴とするプロジェクタ。
【請求項１０】
請求項９に記載のプロジェクタにおいて、
前記走査手段は、前記照明装置と前記色分離光学系との間の、前記電気光学変調装置と略共役の位置に配置され、照明光軸に垂直な回転軸を有する回転プリズムを含み、
前記回転プリズムは、その回転によって、前記電気光学変調装置上で光照射領域と光非照射領域とが前記電気光学変調装置の画面書込み周波数に同期して順次スクロールされるように構成されていることを特徴とするプロジェクタ。
【請求項１１】
被照明領域側に略平行な照明光束を射出する光源装置と、前記光源装置から射出される照明光束を複数の部分光束に分割するための複数の小レンズを有する第１レンズアレイと、前記第１レンズアレイの前記複数の小レンズに対応する複数の小レンズを有する第２レンズアレイと、前記第２レンズアレイから射出される各部分光束を被照明領域で重畳させるための重畳レンズとを有する照明装置と、
前記照明装置から射出される照明光束を画像情報に応じて変調する電気光学変調装置と、
前記電気光学変調装置によって変調される照明光束を投写する投写光学系とを備えたプロジェクタであって、
前記第１レンズアレイは、前記複数の小レンズとして、前記第１レンズアレイの周辺領域に配置される複数の第１小レンズと、前記第１レンズアレイの中心領域に配置される複数の第２小レンズとを有し、
前記第２小レンズは、前記第１小レンズよりも小さく、かつ、前記第１小レンズよりも前記第２レンズアレイに近接して配置されていることを特徴とするプロジェクタ。
【請求項１２】
請求項１１に記載のプロジェクタにおいて、
前記中心領域と前記周辺領域とは列で分離されていることを特徴とするプロジェクタ。
【請求項１３】
請求項１２に記載のプロジェクタにおいて、
前記第１レンズアレイにおける前記複数の小レンズは、前記一方方向に沿って４列に配列されており、前記第２小レンズは中央の２列に配置されており、前記第１小レンズは両側の１列ずつに配置されていることを特徴とするプロジェクタ。
【請求項１４】
請求項１１に記載のプロジェクタにおいて、
前記中心領域と前記周辺領域とは光源光軸からの距離で分離されていることを特徴とするプロジェクタ。
【請求項１５】
請求項１１〜１４のいずれかに記載のプロジェクタにおいて、
前記第１小レンズは、第１レンズアレイの光入射面に形成され、前記第２小レンズは、第１レンズアレイの光射出面に形成されていることを特徴とするプロジェクタ。
【請求項１６】
請求項１１〜１４のいずれかに記載のプロジェクタにおいて、
前記第１小レンズ及び前記第２小レンズはともに、第１レンズアレイの光入射面又は光射出面のいずれかに形成されていることを特徴とするプロジェクタ。
【請求項１７】
請求項１１〜１６に記載のプロジェクタにおいて、
前記第１レンズアレイは、前記楕円面リフレクタの第２焦点より楕円面リフレクタ側に光入射面を有し、この光入射面上で前記光源装置から射出される照明光束の光量が全体にわたって分布するような位置に配置されていることを特徴とするプロジェクタ。
【請求項１８】
請求項１１〜１７のいずれかに記載のプロジェクタにおいて、
前記照明装置と前記電気光学変調装置との間に、前記照明装置から射出される照明光束を複数の色光に分離するための色分離光学系をさらに備え、
前記電気光学変調装置として、前記色分離光学系から射出される複数の色光をそれぞれの色光に対応する画像情報に応じて変調する複数の電気光学変調装置が設けられていることを特徴とするプロジェクタ。
【発明の詳細な説明】
【技術分野】
【０００１】
本発明はプロジェクタに関する。 
【背景技術】
【０００２】
図１５は、従来のプロジェクタを説明するために示す図である。図１５（ａ）は従来のプロジェクタの光学系を示す図であり、図１５（ｂ）及び図１５（ｃ）はこのような従来のプロジェクタの問題点を説明するための図である。
このプロジェクタ９００Ａにおいては、電気光学変調装置として用いる液晶装置４００Ｒ，４００Ｇ，４００Ｂが、図１５（ｂ）に示すような輝度特性を有するホールド型の表示装置であるため、図１５（ｃ）に示すような輝度特性を有するインパルス型の表示装置であるＣＲＴの場合とは異なり、いわゆる尾引き現象のために滑らかな動画表示が得られないという問題点がある（この尾引き現象については、例えば、非特許文献１参照。）。
【０００３】
図１６は、従来の他のプロジェクタを説明するために示す図である。図１６（ａ）は従来の他のプロジェクタの光学系を示す図であり、図１６（ｂ）及び図１６（ｃ）はこのような従来の他のプロジェクタに用いられる光シャッタを示すための図である。
このプロジェクタ９００Ｂにおいては、図１６（ａ）に示すように、液晶装置４００Ｒ，４００Ｇ，４００Ｂの光入射側に光シャッタ４２０Ｒ，４２０Ｇ，４２０Ｂを配置し、これらの光シャッタにより間欠的に光を遮断するようにして、上記した問題を解決している。すなわち、いわゆる尾引き現象を緩和して滑らかで良質な動画表示が得られるようにしている（例えば、特許文献１参照。）。
【非特許文献１】「ホールド型ディスプレイにおける動画表示の画質」（電子情報通信学会技報、ＥＩＤ９９−１０、第５５〜６０頁（１９９９−０６））
【特許文献１】特開２００２−１４８７１２号公報（図１〜図７）
【発明の開示】
【発明が解決しようとする課題】
【０００４】
しかしながら、このような従来の他のプロジェクタにおいては、光シャッタにより間欠的に光を遮断するようにしているため、光利用効率が大幅に低下するという問題があった。
【０００５】
本発明は、このような問題を解決するためになされたもので、滑らかで良質な動画表示が得られるようにした場合であっても光利用効率が大幅に低下しないプロジェクタを提供することを目的とする。
【課題を解決するための手段】
【０００６】
本発明のプロジェクタは、被照明領域側に略平行な照明光束を射出する光源装置と、前記光源装置から射出される照明光束を複数の部分光束に分割するための複数の小レンズを有する第１レンズアレイと、前記第１レンズアレイの前記複数の小レンズに対応する複数の小レンズを有する第２レンズアレイと、前記第２レンズアレイから射出される各部分光束を被照明領域で重畳させるための重畳レンズとを有する照明装置と、前記照明装置から射出される照明光束を画像情報に応じて変調する電気光学変調装置と、前記電気光学変調装置によって変調される照明光束を投写する投写光学系とを備え、前記第１レンズアレイにおける各小レンズは、前記照明装置から射出される照明光束を、前記電気光学変調装置の画像形成領域における縦横方向のうちいずれか一方方向については画像形成領域の全体を、他方方向についてはその画像形成領域の一部を照明するような断面形状を有する照明光束とするように、前記他方方向に圧縮された平面形状を有し、前記照明装置と前記電気光学変調装置との間に、前記電気光学変調装置の画面書込み周波数に同期して前記画像形成領域上で前記他方方向に沿って前記照明光束を走査する走査手段をさらに備えたプロジェクタであって、前記第１レンズアレイは、前記複数の小レンズとして、前記第１レンズアレイの周辺領域に配置される複数の第１小レンズと、前記第１レンズアレイの中心領域に配置される複数の第２小レンズとを有し、前記第２小レンズは、前記第１小レンズよりも小さく、かつ、前記第１小レンズよりも前記第２レンズアレイに近接して配置されていることを特徴とする。
【０００７】
このため、本発明のプロジェクタによれば、電気光学変調装置の画像形成領域における縦横方向のうちいずれか一方方向については画像形成領域の全体を、他方方向についてはその画像形成領域の一部を照明するような断面形状（すなわち他方方向に圧縮された断面形状）を有する照明光束を、電気光学変調装置の画面書込み周波数に同期して画像形成領域上で他方方向に沿って走査することができるようになるため、電気光学変調装置の画像形成領域においては光照射領域と光非照射領域とが順次交互にスクロールされるようになる。その結果、尾引き現象が緩和され、滑らかで良質な動画表示が得られるプロジェクタとなる。
【０００８】
また、本発明のプロジェクタによれば、上記したように他方方向に圧縮された断面形状を有する照明光束を、第１レンズアレイとして各小レンズの平面形状を他方方向に圧縮したレンズアレイを用いることによって実現しているため、光シャッタを用いる場合とは異なり、光源装置から射出される照明光束を無駄無く電気光学変調装置の画像形成領域に導くことができるようになり、光利用効率が大幅に低下することがなくなる。
【０００９】
このため、本発明のプロジェクタは、滑らかで良質な動画表示が得られるようにした場合であっても光利用効率が大幅に低下しないプロジェクタとなり、本発明の目的が達成される。
【００１０】
ところで、本発明者の実験によれば、他方方向に圧縮された断面形状を有する照明光束を、第１レンズアレイとして各小レンズの平面形状を他方方向に圧縮したレンズアレイを用いることによって実現した場合、第１レンズアレイの中心領域に配置される小レンズからの光による第２レンズアレイ上におけるアーク像の大きさが第１レンズアレイの周辺領域に配置される小レンズからの光による第２レンズアレイ上におけるアーク像の大きさよりも大きくなる。このため、このような場合、第２レンズアレイにおけるこれらのアーク像の分離をするのが容易ではなくなり、光利用効率が低下したり迷光が増加したりすることになる。
【００１１】
これに対して、本発明のプロジェクタによれば、第１レンズアレイの中心領域に配置される第２小レンズが第１レンズアレイの周辺領域に配置される第１小レンズよりも小さく、かつ、第１小レンズよりも第２レンズアレイに近接して配置されているため、第１レンズアレイの中心領域に配置される第２小レンズからの光による第２レンズアレイ上におけるアーク像を小さくすることができるようになる。このため、第２レンズアレイにおけるこれらのアーク像の分離をするのが容易になり、光利用効率が低下したり迷光が増加したりすることを効果的に抑制することができるようになる。
【００１２】
なお、本発明のプロジェクタにおいては、電気光学変調装置の画像形成領域における第２小レンズの像が第１小レンズの像と同じ大きさになることが必要になるため、第２小レンズの大きさを小さくするのに対応して第２小レンズの焦点距離を小さくするとともに、第２小レンズを第２レンズアレイに近接して配置することとしている。なお、第２小レンズの平面形状は、第１小レンズの平面形状と相似であることが好ましい。
【００１３】
なお、電気光学変調装置としては、その画像形成領域の平面形状が「縦寸法：横寸法＝３：４の長方形のもの」及び「縦寸法：横寸法＝９：１６の長方形のもの」が広く用いられているため、本発明のプロジェクタにおける第１レンズアレイの各小レンズの平面形状としては、例えば、「縦寸法：横寸法＝３：８の長方形のもの」、「縦寸法：横寸法＝９：３２の長方形のもの」、「縦寸法：横寸法＝１：４の長方形のもの」などを好ましく用いることができる。
【００１４】
本発明のプロジェクタにおいては、照明光束に含まれる２つの偏光成分のうち一方の偏光成分に係る照明光束をそのまま透過し他方の偏光成分に係る照明光束を光源光軸に垂直な方向に反射する偏光分離面と、他方の偏光成分を光源光軸に平行な方向に反射する反射面とを有する偏光変換素子をさらに備えることが好ましい。
【００１５】
このように構成することにより、この偏光変換素子の作用により照明光束を一方の偏光軸を有する偏光光に変換することができるようになるので、プロジェクタに用いる電気光学変調装置として、液晶装置等のように偏光光を利用するタイプの電気光学変調装置を用いる場合に適したものとなる。
【００１６】
本発明のプロジェクタにおいては、前記中心領域と前記周辺領域とは列で分離されていることが好ましい。
【００１７】
このように構成することにより、第１レンズアレイの設計を容易にするとともに製造をも容易にすることができる。
【００１８】
本発明のプロジェクタにおいては、前記第１レンズアレイにおける前記複数の小レンズは、前記一方方向に沿って４列に配列されており、前記第１小レンズは中央の２列に配置されており、前記第２小レンズは両側の１列ずつに配置されていることが好ましい。
【００１９】
このように構成することにより、第１レンズアレイにおける小レンズが一方方向に沿って４列に配列されているため、電気光学変調装置の被照明領域における光強度分布をある程度均一化することができる。また、第１レンズアレイにおける小レンズが一方方向に沿って４列に配列されているため、小レンズの大きさをある程度以上の大きさにすることができる。このため、第１レンズアレイにおける小レンズの他方方向に沿った辺の長さが極端に短くなることがなくなる。その結果、第１レンズアレイの各小レンズの像が、対応する第２レンズアレイの小レンズに良好に呑み込まれるようになり、良好な光利用効率が得られる。
【００２０】
また、第１小レンズは中央の２列に配置されており、第２小レンズは両側の１列ずつに配置されているため、第１レンズアレイの設計を容易にするとともに製造をも容易にすることができる。
【００２１】
本発明のプロジェクタにおいては、前記中心領域と前記周辺領域とは光源光軸からの距離で分離されていることも好ましい。
【００２２】
このように構成することによっても、第１レンズアレイの設計を容易にするとともに製造をも容易にすることができる。
【００２３】
本発明のプロジェクタにおいては、前記第１小レンズは、第１レンズアレイの光入射面に形成され、前記第２小レンズは、第１レンズアレイの光射出面に形成されていることが好ましい。
【００２４】
このように構成することにより、第２小レンズは第１小レンズよりも第２レンズアレイに近接して配置されることになる。
【００２５】
本発明のプロジェクタにおいては、前記第１小レンズ及び前記第２小レンズはともに、第１レンズアレイの光入射面又は光射出面のいずれかに形成されていることも好ましい。
【００２６】
この場合、第１小レンズ及び第２小レンズが第１レンズアレイの光入射面に形成されている場合には、第１レンズアレイは、第２小レンズのところで窪んだ形状を有することになる。一方、第１小レンズ及び第２小レンズが第１レンズアレイの光射出面に形成されている場合には、第１レンズアレイは、第２小レンズのところが突出した形状を有することになる。
【００２７】
本発明のプロジェクタにおいては、前記光源装置は、発光管と、前記発光管からの光を反射する楕円面リフレクタと、前記楕円面リフレクタで反射される光を略平行光にする平行化レンズと、前記発光管から被照明領域側に射出される光を前記発光管に反射する補助ミラーとを有し、前記補助ミラーは、前記第１レンズアレイの光入射面上の照明光束の断面における、前記他方方向に沿った長さが前記一方方向に沿った長さよりも短くなるように、反射凹面の一部が削除された形状を有し、前記楕円面リフレクタは、前記発光管からの光が前記補助ミラーで反射されずに通過すると仮定した場合に、前記通過する光を反射するために要する反射凹面の部分が削除された形状を有することが好ましい。
【００２８】
このように構成することにより、補助ミラーは、第１レンズアレイの光入射面上の照明光束の断面における、他方方向に沿った長さが一方方向に沿った長さよりも短くなるように、反射凹面の一部が削除された形状を有しているため、楕円面リフレクタで反射される照明光束の断面形状が、一方方向に比べて他方方向が小さい形状となる。したがって、平行化レンズ、第１レンズアレイ、第２レンズアレイ、重畳レンズをはじめとする後段の各光学要素における他方方向に沿った寸法を短くすることができ、装置全体の小型化を図ることができる。また、楕円面リフレクタで反射される照明光束の断面形状は、他方方向に圧縮された形状を有する第１レンズアレイにおける各小レンズの断面形状と適合性のよいものとなる。
また、楕円面リフレクタは、発光管からの光が補助ミラーで反射されずに通過すると仮定した場合に、そのような通過する光を反射するために要する反射凹面の部分が削除された形状を有しているため、楕円面リフレクタの他方方向に沿った寸法を短くすることができるので、装置全体のさらなる小型化を図ることができる。
【００２９】
本発明のプロジェクタにおいては、前記第１レンズアレイの光入射面上の照明光束の断面における、前記一方方向に沿った長さに対する前記他方方向に沿った長さの比率は、３０％〜８０％であることが好ましい。
【００３０】
この比率が３０％未満である場合には、楕円面リフレクタから射出される照明光束の光利用効率を維持するのが容易ではなくなるとともに、第１レンズアレイにおける小レンズの行数を確保することができなくなり、電気光学変調装置上での光強度分布を均一にすることが容易ではなくなる。一方、この比率が８０％を超える場合には、装置を小型化することができるという効果が小さくなる。これらの観点からいえば、上記比率が４０％〜７０％であることがさらに好ましい。
【００３１】
本発明のプロジェクタにおいては、前記第１レンズアレイは、前記楕円面リフレクタの第２焦点より楕円面リフレクタ側に光入射面を有し、この光入射面上で前記光源装置から射出される照明光束の光量が全体にわたって分布するような位置に配置されていることが好ましい。
【００３２】
このように構成することにより、第１レンズアレイの光入射面に光源装置から射出される照明光束の光量が全体にわたって分布する。したがって、小レンズを４列に配列することにより比較的レンズ密度の低い第１レンズアレイとしたとしても、電気光学変調装置の被照明領域上での面内光強度分布特性を低下させることがなく、第１レンズアレイにおける製造加工の簡素化及びコストの低廉化を図ることができる。
【００３３】
この場合、第１レンズアレイの光入射面中央部において入射光強度の極端に小さい領域（いわゆる影の領域）が存在しないような位置に第１レンズアレイを配置することが好ましい。このように構成することにより、第１レンズアレイの光入射領域上で光源装置から射出される照明光束の光量が全体にわたって分布するようになる。
【００３４】
本発明のプロジェクタにおいては、前記照明装置と前記電気光学変調装置との間に、前記照明装置から射出される照明光束を複数の色光に分離するための色分離光学系をさらに備え、前記電気光学変調装置として、前記色分離光学系から射出される複数の色光をそれぞれの色光に対応する画像情報に応じて変調する複数の電気光学変調装置が設けられていることが好ましい。
【００３５】
このように構成することにより、滑らかで良質な動画表示が得られるようにした場合であっても光利用効率が大幅に低下しないプロジェクタを、画像品質の優れた（例えば３板式の）フルカラープロジェクタとすることができるようになる。
【００３６】
本発明のプロジェクタにおいては、前記走査手段は、前記照明装置と前記色分離光学系との間の、前記電気光学変調装置と略共役の位置に配置され、照明光軸に垂直な回転軸を有する回転プリズムを含み、前記回転プリズムは、その回転によって、前記電気光学変調装置上で光照射領域と光非照射領域とが前記電気光学変調装置の画面書込み周波数に同期して順次スクロールされるように構成されていることが好ましい。
【００３７】
このように構成することにより、フルカラープロジェクタにおける各電気光学変調装置の画像形成領域において、光照射領域及び光非照射領域の円滑なスクロール動作が実現できるようになる。
【００３８】
以上説明したように、本発明のプロジェクタにおいては、電気光学変調装置の画像形成領域において光照射領域と光非照射領域とが順次交互にスクロールされるようになるため、滑らかで良質な動画表示が得られるようにした場合であっても光利用効率が大幅に低下しないという効果が得られる。また、第２小レンズは、第１小レンズよりも小さく、かつ、第１小レンズよりも第２レンズアレイに近接して配置されているため、上記したような、滑らかで良質な動画表示が得られるようにした場合であっても光利用効率が大幅に低下しない優れたプロジェクタにおいて、光利用効率が低下したり迷光が増加したりすることを効果的に抑制することができるという効果が得られる。
しかしながら、本発明者の解析によれば、後者の効果は、尾引き対策を目的としない一般のプロジェクタにおいて、第２小レンズを、第１小レンズよりも小さくするとともに、第１小レンズよりも第２レンズアレイに近接して配置するようにした場合にも得られることが分かった。
【００３９】
すなわち、本発明の他のプロジェクタは、被照明領域側に略平行な照明光束を射出する光源装置と、前記光源装置から射出される照明光束を複数の部分光束に分割するための複数の小レンズを有する第１レンズアレイと、前記第１レンズアレイの前記複数の小レンズに対応する複数の小レンズを有する第２レンズアレイと、前記第２レンズアレイから射出される各部分光束を被照明領域で重畳させるための重畳レンズとを有する照明装置と、前記照明装置から射出される照明光束を画像情報に応じて変調する電気光学変調装置と、前記電気光学変調装置によって変調される照明光束を投写する投写光学系とを備えたプロジェクタであって、前記第１レンズアレイは、前記複数の小レンズとして、前記第１レンズアレイの周辺領域に配置される複数の第１小レンズと、前記第１レンズアレイの中心領域に配置される複数の第２小レンズとを有し、前記第２小レンズは、前記第１小レンズよりも小さく、かつ、前記第１小レンズよりも前記第２レンズアレイに近接して配置されていることを特徴とする。
【００４０】
このため、本発明の他のプロジェクタによれば、第１レンズアレイの中心領域に配置される第２小レンズが第１レンズアレイの周辺領域に配置される第１小レンズよりも小さく、かつ、第１小レンズよりも第２レンズアレイに近接して配置されているため、第１レンズアレイの中心領域に配置される第２小レンズからの光による第２レンズアレイ上におけるアーク像を小さくすることができるようになる。このため、第２レンズアレイにおけるこれらのアーク像の分離をするのが容易になり、光利用効率が低下したり迷光が増加したりすることを効果的に抑制することができるようになる。
【００４１】
本発明の他のプロジェクタにおいては、前記中心領域と前記周辺領域とは列で分離されていることが好ましい。
【００４２】
このように構成することにより、第１レンズアレイの設計を容易にするとともに製造をも容易にすることができる。
【００４３】
本発明の他のプロジェクタにおいては、前記第１レンズアレイにおける前記複数の小レンズは、前記一方方向に沿って４列に配列されており、前記第１小レンズは中央の２列に配置されており、前記第２小レンズは両側の１列ずつに配置されていることが好ましい。
【００４４】
このように構成することにより、第１レンズアレイにおける小レンズが一方方向に沿って４列に配列されているため、電気光学変調装置の被照明領域における光強度分布をある程度均一化することができる。また、第１レンズアレイにおける小レンズが一方方向に沿って４列に配列されているため、小レンズの大きさをある程度以上の大きさにすることができる。このため、第１レンズアレイにおける小レンズの他方方向に沿った辺の長さが極端に短くなることがなくなる。その結果、第１レンズアレイの各小レンズの像が、対応する第２レンズアレイの小レンズに良好に呑み込まれるようになり、良好な光利用効率が得られる。
【００４５】
また、第１小レンズは中央の２列に配置されており、第２小レンズは両側の１列ずつに配置されているため、第１レンズアレイの設計を容易にするとともに製造をも容易にすることができる。
【００４６】
本発明の他のプロジェクタにおいては、前記中心領域と前記周辺領域とは光源光軸からの距離で分離されていることも好ましい。
【００４７】
このように構成することによっても、第１レンズアレイの設計を容易にするとともに製造をも容易にすることができる。
【００４８】
本発明の他のプロジェクタにおいては、前記第１小レンズは、第１レンズアレイの光入射面に形成され、前記第２小レンズは、第１レンズアレイの光射出面に形成されていることが好ましい。
【００４９】
このように構成することにより、第２小レンズは第１小レンズよりも第２レンズアレイに近接して配置されることになる。
【００５０】
本発明の他のプロジェクタにおいては、前記第１小レンズ及び前記第２小レンズはともに、第１レンズアレイの光入射面又は光射出面のいずれかに形成されていることも好ましい。
【００５１】
この場合、第１小レンズ及び第２小レンズが第１レンズアレイの光入射面に形成されている場合には、第１レンズアレイは、第２小レンズのところで窪んだ形状を有することになる。一方、第１小レンズ及び第２小レンズが第１レンズアレイの光射出面に形成されている場合には、第１レンズアレイは、第２小レンズのところが突出した形状を有することになる。
【００５２】
本発明の他のプロジェクタにおいては、前記第１レンズアレイは、前記楕円面リフレクタの第２焦点より楕円面リフレクタ側に光入射面を有し、この光入射面上で前記光源装置から射出される照明光束の光量が全体にわたって分布するような位置に配置されていることが好ましい。
【００５３】
このように構成することにより、第１レンズアレイの光入射面に光源装置から射出される照明光束の光量が全体にわたって分布する。したがって、小レンズを４列に配列することにより比較的レンズ密度の低い第１レンズアレイとしたとしても、電気光学変調装置の被照明領域上での面内光強度分布特性を低下させることがなく、第１レンズアレイにおける製造加工の簡素化及びコストの低廉化を図ることができる。
【００５４】
この場合、第１レンズアレイの光入射面中央部において入射光強度の極端に小さい領域（いわゆる影の領域）が存在しないような位置に第１レンズアレイを配置することが好ましい。このように構成することにより、第１レンズアレイの光入射領域上で光源装置から射出される照明光束の光量が全体にわたって分布するようになる。
【００５５】
本発明の他のプロジェクタにおいては、前記照明装置と前記電気光学変調装置との間に、前記照明装置から射出される照明光束を複数の色光に分離するための色分離光学系をさらに備え、前記電気光学変調装置として、前記色分離光学系から射出される複数の色光をそれぞれの色光に対応する画像情報に応じて変調する複数の電気光学変調装置が設けられていることが好ましい。
【００５６】
このように構成することにより、光利用効率が低下したり迷光が増加したりすることを効果的に抑制することができるプロジェクタを、画像品質の優れた（例えば３板式の）フルカラープロジェクタとすることができるようになる。
【発明を実施するための最良の形態】
【００５７】
以下、本発明のプロジェクタについて、図に示す実施の形態に基づいて説明する。
【００５８】
〔実施形態１〕
図１は、実施形態１に係るプロジェクタ１０００を説明するために示す図である。図１（ａ）は実施形態１に係るプロジェクタ１０００の光学系を上面から見た図であり、図１（ｂ）は側面から見た図であり、図１（ｃ）は実施形態１における照明装置１００を説明するために示す図である。
なお、以下の説明においては、互いに直交する３つの方向をそれぞれｚ軸方向（図１（ａ）における照明光軸方向）、ｘ軸方向（図１（ａ）における紙面に平行かつｚ軸に直交する方向）及びｙ軸方向（図１（ａ）における紙面に垂直かつｚ軸に直交する方向）とする。
【００５９】
実施形態１に係るプロジェクタ１０００は、図１（ａ）及び図１（ｂ）に示すように、照明装置１００と、照明装置１００からの照明光束を赤、緑及び青の３つの色光に分離する色分離光学系２００と、色分離光学系２００で分離された３つの色光のそれぞれを画像情報に応じて変調する電気光学変調装置としての３つの液晶装置４００Ｒ，４００Ｇ，４００Ｂと、これら３つの液晶装置４００Ｒ，４００Ｇ，４００Ｂによって変調された色光を合成するクロスダイクロイックプリズム５００と、クロスダイクロイックプリズム５００によって合成された光をスクリーンＳＣＲ等の投写面に投写する投写光学系６００とを備えたプロジェクタである。
【００６０】
照明装置１００は、図１（ａ）及び図１（ｂ）に示すように、被照明領域側に略平行な照明光束を射出する光源装置１１０、光源装置１１０から射出される照明光束を複数の部分光束に分割するための複数の小レンズ（第１小レンズ１２２及び第２小レンズ１２４（図３参照。））を有する第１レンズアレイ１２０、第１レンズアレイ１２０の複数の小レンズに対応する複数の小レンズ（第１小レンズ１３２及び第２小レンズ１３４（図７（ａ）参照。））を有する第２レンズアレイ１３０、照明光束を偏光光に変換するための偏光変換素子１４０及びこの偏光変換素子１４０から射出される各部分光束を被照明領域で重畳させるための重畳レンズ１５０を有している。
【００６１】
光源装置１１０は、図１に示すように、楕円面リフレクタ１１４と、楕円面リフレクタ１１４の第１焦点近傍に発光中心を有する発光管１１２と、楕円面リフレクタ１１４で反射される集束光を略平行な光に変換する平行化レンズ１１８とを有している。発光管１１２には、発光管１１２から被照明領域側に射出される光を楕円面リフレクタ１１４に向けて反射する反射手段としての補助ミラー１１６が設けられている。
【００６２】
色分離光学系２００としては、図１（ａ）及び図１（ｂ）に示すように、照明装置１００から液晶装置４００Ｒ，４００Ｇ，４００Ｂまでの光路長が等しい等光路光学系を用いている。
【００６３】
液晶装置４００Ｒ,４００Ｇ,４００Ｂとしては、「ｙ軸方向に沿った縦寸法：ｘ軸方向に沿った横寸法＝９：１６の長方形」の平面形状を有するワイドビジョン用の液晶装置を用いている。
【００６４】
実施形態１に係るプロジェクタ１０００は、第１レンズアレイ１２０の構成（及びこれに対応して第２レンズアレイ１３０の構成）、回転プリズム７７０からなる走査手段を用いたこと及び補助ミラー１１６の形状を特徴としている。
すなわち、第１レンズアレイ１２０における第１小レンズ１２２及び第２小レンズ１２４（図３参照。）は、照明装置１００から射出される照明光束を、液晶装置４００Ｒ，４００Ｇ，４００Ｂの画像形成領域における縦横方向のうち、ｘ軸方向に沿った横方向については画像形成領域の全体を、ｙ軸方向に沿った縦方向についてはその画像形成領域の一部を照明するような断面形状を有する照明光束とするように、縦方向に圧縮された平面形状を有している。
また、回転プリズム７７０は、照明装置１００と液晶装置４００Ｒ，４００Ｇ，４００Ｂとの間に、液晶装置４００Ｒ，４００Ｇ，４００Ｂの画面書込み周波数に同期して画像形成領域上で縦方向に沿って照明光束を走査する機能を有している。
さらにまた、補助ミラー１１６は、図２に示すように、第１レンズアレイ１２０の光入射面上の照明光束の断面における、縦方向に沿った長さが横方向に沿った長さよりも短くなるように、反射凹面の一部が削除された形状を有している。
【００６５】
このため、実施形態１に係るプロジェクタ１０００によれば、液晶装置４００Ｒ，４００Ｇ，４００Ｂの画像形成領域における縦横方向のうち、ｘ軸方向に沿った横方向については画像形成領域の全体を、ｙ軸方向に沿った縦方向についてはその画像形成領域の一部を照明するような断面形状（すなわち縦方向に圧縮された断面形状）を有する照明光束を、液晶装置４００Ｒ，４００Ｇ，４００Ｂの画面書込み周波数に同期して画像形成領域上でｙ軸方向に沿って走査することができるようになるため、液晶装置４００Ｒ，４００Ｇ，４００Ｂの画像形成領域においては光照射領域と光非照射領域とが順次交互にスクロールされるようになる。その結果、尾引き現象が緩和され、滑らかで良質な動画表示が得られるプロジェクタとなる。
【００６６】
また、実施形態１に係るプロジェクタ１０００によれば、上記したように縦方向に圧縮された断面形状を有する照明光束を、第１レンズアレイ１２０として第１小レンズ１２２及び第２小レンズ１２４（図３参照。）の平面形状を縦方向に圧縮したレンズアレイを用いることによって実現しているため、光シャッタを用いる場合と異なり、光源装置１１０から射出される照明光束を無駄無く液晶装置４００Ｒ，４００Ｇ，４００Ｂの画像形成領域に導くことができるようになり、光利用効率が大幅に低下することがなくなる。
【００６７】
このため、実施形態１に係るプロジェクタ１０００は、滑らかで良質な動画表示が得られるようにした場合であっても光利用効率が大幅に低下しないプロジェクタとなる。
【００６８】
以下、実施形態１に係るプロジェクタ１０００における補助ミラー１１６、第１レンズアレイ１２０及び回転プリズム７７０について詳細に説明する。
【００６９】
１．補助ミラー
図２は、実施形態１における楕円面リフレクタ１１４及び補助ミラー１１６の形状を説明するために示す図である。図２（ａ）は平面図であり、図２（ｂ）は側面図であり、図２（ｃ）は被照明領域側から見た図であり、図２（ｄ）は斜視図である。
【００７０】
補助ミラー１１６は、図１及び図２に示すように、第１レンズアレイ１２０の光入射面上の照明光束の断面における、ｙ軸方向に沿った長さがｘ軸方向に沿った長さよりも短くなるように、反射凹面の一部が削除された形状を有している。
このため、楕円面リフレクタ１１４で反射される照明光束の断面形状が、ｘ軸方向に沿った横方向に比べてｙ軸方向に沿った縦方向が小さい形状となる。したがって、平行化レンズ１１８、第１レンズアレイ１２０、第２レンズアレイ１３０、偏光変換素子１４０、重畳レンズ１５０をはじめとする後段の各光学要素におけるｙ軸方向に沿った縦寸法を短くすることができ、装置全体の小型化を図ることができる。また、楕円面リフレクタ１１４で反射される照明光束の断面形状は、縦方向に圧縮された形状を有する第１レンズアレイ１２０における第１小レンズ１２２及び第２小レンズ１２４の断面形状と適合性のよいものとなる。
【００７１】
また、実施形態１に係るプロジェクタ１０００においては、楕円面リフレクタ１１４は、図１及び図２に示すように、発光管１１２から射出される光が補助ミラー１１６で反射されずに通過すると仮定した場合に、そのような通過する光を反射するために要する反射凹面の部分が削除された形状を有している。このため、楕円面リフレクタ１１４のｙ軸方向に沿った縦寸法を短くすることができるので、装置全体のさらなる小型化を図ることができる。
【００７２】
２．第１レンズアレイ
図３は、実施形態１における第１レンズアレイ１２０の構造を説明するために示す図である。図３（ａ）は第１レンズアレイ１２０をｚ軸方向に沿った方向から見た図であり、図３（ｂ）はｙ軸方向に沿った方向から見た図であり、図３（ｃ）はｘ軸方向に沿った方向から見た図である。図４は、比較例における第１レンズアレイ１２０ａの構造を説明するために示す図である。図４（ａ）は第１レンズアレイ１２０ａをｚ軸方向に沿った方向から見た図であり、図４（ｂ）はｙ軸方向に沿った方向から見た図であり、図４（ｃ）はｘ軸方向に沿った方向から見た図である。なお、図３（ａ）及び図４（ａ）中に示す破線は、光源装置から射出された照明光束Ｌの輪郭を表している。
【００７３】
図５は、第１レンズアレイの光入射面上の照明光束の断面における光強度分布を等高線で示す図である。図５（ａ）は実施形態１の場合を示し、図５（ｂ）は比較例の場合を示す。図６は、第１レンズアレイによって照明光束が集束される様子を模式的に示す図である。図６（ａ）は実施形態１の場合を示し、図６（ｂ）は比較例の場合を示す。図７は、第２レンズアレイ上のアーク像を示す図である。図７（ａ）は実施形態１の場合を示し、図７（ｂ）は比較例の場合を示す。
【００７４】
第１レンズアレイ１２０は、図３に示すように、第１レンズアレイ１２０の周辺領域に配置される複数の第１小レンズ１２２と、第１レンズアレイ１２０の中心領域に配置される複数の第２小レンズ１２４とを有している。そして、第２小レンズ１２４は、図３に示すように、第１小レンズ１２２よりも小さく、かつ、図６（ａ）に示すように、第１小レンズ１２２よりも第２レンズアレイ１３０に近接して配置されている。
【００７５】
ところで、上述したように、本発明者の実験によれば、図４、図５（ｂ）及び図６（ｂ）に示すように、他方方向に圧縮された断面形状を有する照明光束を、第１レンズアレイ１２０ａとして第１小レンズ１２２ａ及び第２小レンズ１２４ａの平面形状を他方方向に圧縮したレンズアレイを用いることによって実現した場合（比較例の場合）、図７（ｂ）に示すように、第１レンズアレイ１２０ａの中心領域に配置される第２小レンズ１２４ａから射出され第２レンズアレイ１３０ａ上に結像するアーク像の大きさが、第１レンズアレイ１２０ａの周辺領域に配置される第１小レンズ１２２ａから射出され第２レンズアレイ１３０ａ上に結像するアーク像の大きさよりも大きくなる。このため、第２レンズアレイ１３０ａにおけるこれらのアーク像の分離をするのが容易ではなくなり、光利用効率が低下したり迷光が増加したりする。
【００７６】
これに対して、実施形態１に係るプロジェクタ１０００によれば、図３及び図５（ａ）に示すように、第１レンズアレイ１２０の中心領域に配置される第２小レンズ１２４が第１レンズアレイ１２０の周辺領域に配置される第１小レンズ１２２よりも小さく、かつ、図６（ａ）に示すように、第１小レンズ１２２よりも第２レンズアレイ１３０に近接して配置されているため、第１レンズアレイ１２０の中心領域に配置される第２小レンズ１２４からの光による第２レンズアレイ１３０上におけるアーク像を小さくすることができるようになる。つまり、第２小レンズ１２４の焦点距離を第１小レンズ１２２よりも短くすることにより、第２小レンズ１２４から射出され第２レンズアレイ１３０上に結像するアーク像の大きさが、第１小レンズ１２２から射出され第２レンズアレイ１３０上に結像するアーク像の大きさよりも大きくならないようにしている。また、第２小レンズ１２４に対応する第２レンズアレイ１３０の第２小レンズ１３４の焦点距離が、第１小レンズ１２２に対応する第２レンズアレイ１３０の第１小レンズ１３２の焦点距離よりも短く、第２小レンズ１２４に対応する第２レンズアレイ１３０の第２小レンズ１３４の投影倍率が、第１小レンズ１２２に対応する第２レンズアレイ１３０の第１小レンズ１３２の投影倍率よりも高いので、第２小レンズ１２４の形状は第１小レンズ１２２の形状よりも小さくなっている。
このため、図７（ａ）に示すように、第２レンズアレイ１３０におけるこれらのアーク像の分離をするのが容易になり、光利用効率が低下したり迷光が増加したりすることを効果的に抑制することができるようになる。
【００７７】
なお、実施形態１に係るプロジェクタ１０００においては、液晶装置４００Ｒ，４００Ｇ，４００Ｂの画像形成領域における第２小レンズ１２４の像が第１小レンズ１２２の像と同じ大きさになることが必要になるため、図６（ａ）に示すように、第２小レンズ１２４の大きさを小さくするのに対応して第２小レンズ１２４の焦点距離を小さくするとともに、第２小レンズ１２４を第１レンズアレイ１２０の光射出面に形成することにより第２レンズアレイ１３０に近接して配置することとしている。なお、第２小レンズ１２４の平面形状は、第１小レンズ１２２の平面形状と相似である。
【００７８】
実施形態１に係るプロジェクタ１０００においては、第１小レンズ１２２は、第１レンズアレイ１２０の光入射面に形成され、第２小レンズ１２４は、第１レンズアレイ１２０の光射出面に形成されている。このため、第２小レンズ１２４は第１小レンズ１２２よりも第２レンズアレイ１３０に近接して配置されることになる。
【００７９】
第１レンズアレイ１２０における第１小レンズ１２２及び第２小レンズ１２４は、図３（ａ）に示すように、「ｙ軸方向に沿った縦寸法：ｘ軸方向に沿った横寸法＝１：４の長方形」の平面形状を有している。このため、第１レンズアレイ１２０は、照明装置１００から射出される照明光束を、各液晶装置４００Ｒ，４００Ｇ，４００Ｂの画像形成領域におけるｘ軸方向に沿った横方向については画像形成領域の全体を、ｙ軸方向に沿った縦方向についてはその画像形成領域の一部（約半分）を照明するような断面形状を有する照明光束とすることができる。
【００８０】
実施形態１に係るプロジェクタ１０００においては、第１レンズアレイ１２０の光入射面上の照明光束の断面における、ｘ軸方向に沿った横方向の長さに対するｙ軸方向に沿った縦方向の長さの比は、図５（ａ）に示すように、横方向の長さ：縦方向の長さ＝２２：１５である。すなわち、ｘ軸方向に沿った横方向の長さに対するｙ軸方向に沿った縦方向の長さの比率は、約６８％である。
このため、この比率が３０％以上であることより、楕円面リフレクタ１１４から射出される照明光束の光利用効率を維持できるとともに、第１レンズアレイ１２０における第１小レンズ１２２及び第２小レンズ１２４の行数を確保することができるので、液晶装置４００Ｒ，４００Ｇ，４００Ｂ上での光強度分布を均一にすることが可能となる。また、この比率が８０％以下であることより、装置を小型化することができるという効果が小さくなることもない。
【００８１】
実施形態１に係るプロジェクタ１０００においては、図３に示すように、中心領域と周辺領域とは列で分離されている。このため、第１レンズアレイ１２０の設計を容易にするとともに製造をも容易にすることができる。
【００８２】
実施形態１に係るプロジェクタ１０００においては、第１レンズアレイ１２０における複数の第１小レンズ１２２及び第２小レンズ１２４は、図３に示すように、ｘ軸方向に沿って４列に配列されている。このため、液晶装置４００Ｒ，４００Ｇ，４００Ｂの被照明領域における光強度分布をある程度均一化することもできるし、第１小レンズ１２２及び第２小レンズ１２４の大きさをある程度以上の大きさにすることもできる。これにより、第１レンズアレイ１２０における第１小レンズ１２２及び第２小レンズ１２４のｙ軸方向に沿った辺の長さが極端に短くなることがなくなる。その結果、第１レンズアレイ１２０の第１小レンズ１２２及び第２小レンズ１２４の像が、対応する第２レンズアレイ１３０における第１小レンズ１３２及び第２小レンズ１３４に良好に呑み込まれるようになり、良好な光利用効率が得られる。
【００８３】
実施形態１に係るプロジェクタ１０００においては、第１レンズアレイ１２０における第２小レンズ１２４は中央の２列に配置されており、第１小レンズ１２２は両側の１列ずつに配置されている。このため、第１レンズアレイ１２０の設計を容易にするとともに製造をも容易にすることができる。
【００８４】
実施形態１に係るプロジェクタ１０００においては、第１レンズアレイ１２０は、楕円面リフレクタ１１４の第２焦点より楕円面リフレクタ１１４側に光入射面を有し、この光入射面上で光源装置１１０から射出される照明光束の光量が全体にわたって分布するような位置に配置されている。このため、第１レンズアレイ１２０の光入射面に光源装置１１０から射出される照明光束の光量が全体にわたって分布する。したがって、第１小レンズ１２２及び第２小レンズ１２４を４列に配列することにより比較的レンズ密度の低い第１レンズアレイ１２０としたとしても、液晶装置４００Ｒ，４００Ｇ，４００Ｂの被照明領域上での面内光強度分布特性を低下させることがなく、第１レンズアレイ１２０における製造加工の簡素化及びコストの低廉化を図ることができる。
【００８５】
この場合、第１レンズアレイ１２０の光入射面中央部において入射光強度の極端に小さい領域（いわゆる影の領域）が存在しないような位置に第１レンズアレイ１２０を配置することが好ましい。このように構成することにより、第１レンズアレイ１２０の光入射領域上で光源装置１１０から射出される照明光束の光量が全体にわたって分布するようになる。
【００８６】
３．回転プリズム
図８は、回転プリズムの回転と液晶装置上の照明状態との関係を示す図である。図８（ａ）は回転プリズムを回転軸に沿って見たときの断面図である。図８（ｂ）は回転プリズムを照明光軸に沿って見たときの図である。図８（ｃ）は液晶装置の画像形成領域上における照明光束の照射状態を示す図である。
【００８７】
図８（ａ）及び図８（ｂ）に示すように、照明光軸１００ａｘ上における第１レンズアレイ１２０の仮想中心点の像Ｐが回転プリズム７７０が回転するのに従って、回転プリズム７７０の回転軸７７２を中心にして上下方向にスクロールされていく様子が示されている。その結果、図８（ｃ）に示すように、回転プリズム７７０が回転すると、液晶装置４００Ｒ，４００Ｇ，４００Ｂの画像形成領域においては光照射領域と光非照射領域とが順次交互にスクロールされるようになる。
【００８８】
以上、実施形態１に係るプロジェクタ１０００における補助ミラー１１６、第１レンズアレイ１２０及び回転プリズム７７０について詳細に説明したが、実施形態１に係るプロジェクタ１０００においては以下のような特徴も有している。
すなわち、実施形態１に係るプロジェクタ１０００においては、照明光束に含まれる２つの偏光成分のうち一方の偏光成分に係る照明光束をそのまま透過し他方の偏光成分に係る照明光束を光源光軸１１０ａｘに垂直な方向に反射する偏光分離面と、他方の偏光成分を光源光軸１１０ａｘに平行な方向に反射する反射面とを有する偏光変換素子１４０をさらに備えている。このため、この偏光変換素子１４０の作用により照明光束を一方の偏光軸を有する偏光光に変換することができるようになるので、実施形態１に係るプロジェクタ１０００のように、電気光学変調装置として液晶装置等のように偏光光を利用するタイプの電気光学変調装置を用いる場合に適したものとなる。
【００８９】
実施形態１に係るプロジェクタ１０００においては、照明装置１００と液晶装置４００Ｒ，４００Ｇ，４００Ｂとの間に、照明装置１００から射出される照明光束を複数の色光に分離するための色分離光学系２００をさらに備え、液晶装置として、色分離光学系２００から射出される複数の色光をそれぞれの色光に対応する画像情報に応じて変調する複数の液晶装置４００Ｒ，４００Ｇ，４００Ｂが設けられている。このため、滑らかで良質な動画表示が得られるようにした場合であっても光利用効率が大幅に低下しないプロジェクタを、画像品質の優れた３板式のフルカラープロジェクタとすることができるようになる。
【００９０】
実施形態１に係るプロジェクタ１０００においては、回転プリズム７７０の光透過面には、減反射膜が形成されている。このため、回転プリズム７７０における光透過率が向上するため、光利用効率の低下を最小限のものにすることができるとともに、迷光レベルが低減しコントラストが向上する。
【００９１】
〔実施形態２〕
図９は、実施形態２における第１レンズアレイ１２０Ｂの構造を説明するために示す図である。図９（ａ）は第１レンズアレイ１２０Ｂをｚ軸方向に沿った方向から見た図であり、図９（ｂ）はｙ軸方向に沿った方向から見た図であり、図９（ｃ）はｘ軸方向に沿った方向から見た図である。
【００９２】
実施形態２に係るプロジェクタ１０００Ｂ（図示せず。）は、第１レンズアレイの構成（及びそれに伴った第２レンズアレイの構成）が実施形態１に係るプロジェクタ１０００の場合とは異なっている。すなわち、実施形態１に係るプロジェクタ１０００においては、第１レンズアレイ１２０は、図３に示すように、第１小レンズ１２２が１０行に配列され、第２小レンズ１２４が１２行に配置されているのに対して、実施形態２に係るプロジェクタ１０００Ｂにおいては、図９に示すように、第１小レンズ１２２Ｂが１０行に配列され、第２小レンズ１２４Ｂが１４行に配置されている。
【００９３】
このように、実施形態２に係るプロジェクタ１０００Ｂは、第１レンズアレイの構成（及びそれに伴った第２レンズアレイの構成）が実施形態１に係るプロジェクタ１０００の場合とは異なっているが、実施形態１に係るプロジェクタ１０００の場合と同様に、液晶装置４００Ｒ，４００Ｇ，４００Ｂ（図示せず。）の画像形成領域における縦横方向のうち、ｘ軸方向に沿った横方向については画像形成領域の全体を、ｙ軸方向に沿った縦方向についてはその画像形成領域の一部を照明するような断面形状（すなわち縦方向に圧縮された断面形状）を有する照明光束を、液晶装置４００Ｒ，４００Ｇ，４００Ｂの画面書込み周波数に同期して画像形成領域上でｙ軸方向に沿って走査することができるようになるため、液晶装置４００Ｒ，４００Ｇ，４００Ｂの画像形成領域においては光照射領域と光非照射領域とが順次交互にスクロールされるようになる。その結果、尾引き現象が緩和され、滑らかで良質な動画表示が得られるプロジェクタとなる。
【００９４】
また、実施形態２に係るプロジェクタ１０００Ｂによれば、上記したように縦方向に圧縮された断面形状を有する照明光束を、第１レンズアレイ１２０Ｂとして第１小レンズ１２２Ｂ及び第２小レンズ１２４Ｂの平面形状を縦方向に圧縮したレンズアレイを用いることによって実現しているため、光シャッタを用いる場合と異なり、光源装置１１０から射出される照明光束を無駄無く液晶装置４００Ｒ，４００Ｇ，４００Ｂの画像形成領域に導くことができるようになり、光利用効率が大幅に低下することがなくなる。
【００９５】
このため、実施形態２に係るプロジェクタ１０００Ｂは、滑らかで良質な動画表示が得られるようにした場合であっても光利用効率が大幅に低下しないプロジェクタとなる。
【００９６】
また、実施形態２に係るプロジェクタ１０００Ｂによれば、第１レンズアレイ１２０Ｂの中心領域に配置される第２小レンズ１２４Ｂが第１レンズアレイ１２０Ｂの周辺領域に配置される第１小レンズ１２２Ｂよりも小さく、かつ、第１小レンズ１２２Ｂよりも第２レンズアレイ１３０Ｂ（図示せず。）に近接して配置されているため、第１レンズアレイ１２０Ｂの中心領域に配置される第２小レンズ１２４Ｂからの光による第２レンズアレイ１３０Ｂ上におけるアーク像を小さくすることができるようになる。このため、第２レンズアレイ１３０Ｂにおけるこれらのアーク像の分離をするのが容易になり、光利用効率が低下したり迷光が増加したりすることを効果的に抑制することができるようになる。
【００９７】
〔実施形態３〕
図１０は、実施形態３における第１レンズアレイ１２０Ｃの構造を説明するために示す図である。図１０（ａ）は第１レンズアレイ１２０Ｃをｚ軸方向に沿った方向から見た図であり、図１０（ｂ）はｙ軸方向に沿った方向から見た図であり、図１０（ｃ）はｘ軸方向に沿った方向から見た図である。
【００９８】
実施形態３に係るプロジェクタ１０００Ｃ（図示せず。）は、第１レンズアレイの構成（及びそれに伴った第２レンズアレイの構成）が実施形態１又は２に係るプロジェクタ１０００，１０００Ｂの場合とは異なっている。すなわち、実施形態３に係るプロジェクタ１０００Ｃにおいては、図１０に示すように、第１小レンズ１２２Ｃが８行に配列され、第２小レンズ１２４Ｃが１０行に配置されている。
【００９９】
このように、実施形態３に係るプロジェクタ１０００Ｃは、第１レンズアレイの構成（及びそれに伴った第２レンズアレイの構成）が実施形態１又は２に係るプロジェクタ１０００，１０００Ｂの場合とは異なっているが、実施形態１又は２に係るプロジェクタ１０００，１０００Ｂの場合と同様に、液晶装置４００Ｒ，４００Ｇ，４００Ｂ（図示せず。）の画像形成領域における縦横方向のうち、ｘ軸方向に沿った横方向については画像形成領域の全体を、ｙ軸方向に沿った縦方向についてはその画像形成領域の一部を照明するような断面形状（すなわち縦方向に圧縮された断面形状）を有する照明光束を、液晶装置４００Ｒ，４００Ｇ，４００Ｂの画面書込み周波数に同期して画像形成領域上でｙ軸方向に沿って走査することができるようになるため、液晶装置４００Ｒ，４００Ｇ，４００Ｂの画像形成領域においては光照射領域と光非照射領域とが順次交互にスクロールされるようになる。その結果、尾引き現象が緩和され、滑らかで良質な動画表示が得られるプロジェクタとなる。
【０１００】
また、実施形態３に係るプロジェクタ１０００Ｃによれば、上記したように縦方向に圧縮された断面形状を有する照明光束を、第１レンズアレイ１２０Ｃとして第１小レンズ１２２Ｃ及び第２小レンズ１２４Ｃの平面形状を縦方向に圧縮したレンズアレイを用いることによって実現しているため、光シャッタを用いる場合と異なり、光源装置１１０から射出される照明光束を無駄無く液晶装置４００Ｒ，４００Ｇ，４００Ｂの画像形成領域に導くことができるようになり、光利用効率が大幅に低下することがなくなる。
【０１０１】
このため、実施形態３に係るプロジェクタ１０００Ｃは、滑らかで良質な動画表示が得られるようにした場合であっても光利用効率が大幅に低下しないプロジェクタとなる。
【０１０２】
また、実施形態３に係るプロジェクタ１０００Ｃによれば、第１レンズアレイ１２０Ｃの中心領域に配置される第２小レンズ１２４Ｃが第１レンズアレイ１２０Ｃの周辺領域に配置される第１小レンズ１２２Ｃよりも小さく、かつ、第１小レンズ１２２Ｃよりも第２レンズアレイ１３０Ｃ（図示せず。）に近接して配置されているため、第１レンズアレイ１２０Ｃの中心領域に配置される第２小レンズ１２４Ｃからの光による第２レンズアレイ１３０Ｃ上におけるアーク像を小さくすることができるようになる。このため、第２レンズアレイ１３０Ｃにおけるこれらのアーク像の分離をするのが容易になり、光利用効率が低下したり迷光が増加したりすることを効果的に抑制することができるようになる。
【０１０３】
〔実施形態４〕
図１１は、実施形態４における第１レンズアレイ１２０Ｄの構造を説明するために示す図である。図１１（ａ）は第１レンズアレイ１２０Ｄをｚ軸方向に沿った方向から見た図であり、図１１（ｂ）はｙ軸方向に沿った方向から見た図であり、図１１（ｃ）はｘ軸方向に沿った方向から見た図である。
【０１０４】
実施形態４に係るプロジェクタ１０００Ｄ（図示せず。）は、第１レンズアレイの構成（及びそれに伴った第２レンズアレイの構成）が実施形態１〜３に係るプロジェクタ１０００，１０００Ｂ，１０００Ｃの場合とは異なっている。すなわち、実施形態４に係るプロジェクタ１０００Ｄにおいては、図１１に示すように、第１小レンズ１２２Ｄが１２行に配列され、第２小レンズ１２４Ｄが１６行に配置されている。
【０１０５】
このように、実施形態４に係るプロジェクタ１０００Ｄは、第１レンズアレイの構成（及びそれに伴った第２レンズアレイの構成）が実施形態１〜３に係るプロジェクタ１０００，１０００Ｂ，１０００Ｃの場合とは異なっているが、実施形態１〜３に係るプロジェクタ１０００，１０００Ｂ，１０００Ｃの場合と同様に、液晶装置４００Ｒ，４００Ｇ，４００Ｂ（図示せず。）の画像形成領域における縦横方向のうち、ｘ軸方向に沿った横方向については画像形成領域の全体を、ｙ軸方向に沿った縦方向についてはその画像形成領域の一部を照明するような断面形状（すなわち縦方向に圧縮された断面形状）を有する照明光束を、液晶装置４００Ｒ，４００Ｇ，４００Ｂの画面書込み周波数に同期して画像形成領域上でｙ軸方向に沿って走査することができるようになるため、液晶装置４００Ｒ，４００Ｇ，４００Ｂの画像形成領域においては光照射領域と光非照射領域とが順次交互にスクロールされるようになる。その結果、尾引き現象が緩和され、滑らかで良質な動画表示が得られるプロジェクタとなる。
【０１０６】
また、実施形態４に係るプロジェクタ１０００Ｄによれば、上記したように縦方向に圧縮された断面形状を有する照明光束を、第１レンズアレイ１２０Ｄとして第１小レンズ１２２Ｄ及び第２小レンズ１２４Ｄの平面形状を縦方向に圧縮したレンズアレイを用いることによって実現しているため、光シャッタを用いる場合と異なり、光源装置１１０から射出される照明光束を無駄無く液晶装置４００Ｒ，４００Ｇ，４００Ｂの画像形成領域に導くことができるようになり、光利用効率が大幅に低下することがなくなる。
【０１０７】
このため、実施形態４に係るプロジェクタ１０００Ｄは、滑らかで良質な動画表示が得られるようにした場合であっても光利用効率が大幅に低下しないプロジェクタとなる。
【０１０８】
また、実施形態４に係るプロジェクタ１０００Ｄによれば、第１レンズアレイ１２０Ｄの中心領域に配置される第２小レンズ１２４Ｄが第１レンズアレイ１２０Ｄの周辺領域に配置される第１小レンズ１２２Ｄよりも小さく、かつ、第１小レンズ１２２Ｄよりも第２レンズアレイ１３０Ｄ（図示せず。）に近接して配置されているため、第１レンズアレイ１２０Ｄの中心領域に配置される第２小レンズ１２４Ｄからの光による第２レンズアレイ１３０Ｄ上におけるアーク像を小さくすることができるようになる。このため、第２レンズアレイ１３０Ｄにおけるこれらのアーク像の分離をするのが容易になり、光利用効率が低下したり迷光が増加したりすることを効果的に抑制することができるようになる。
【０１０９】
〔実施形態５〕
図１２は、実施形態５における第１レンズアレイ１２０Ｅの構造を説明するために示す図である。図１２（ａ）は第１レンズアレイ１２０Ｅをｚ軸方向に沿った方向から見た図であり、図１２（ｂ）はｙ軸方向に沿った方向から見た図であり、図１２（ｃ）はｘ軸方向に沿った方向から見た図である。なお、図１２（ｂ）の上方に示す図は図１２（ａ）のＡ３−Ａ３断面図であり、図１２（ｂ）の下方に示す図は図１２（ａ）のＡ４−Ａ４断面図である。また、図１２（ｃ）の左方に示す図は図１２（ａ）のＡ１−Ａ１断面図であり、図１２（ｃ）の右方に示す図は図１２（ａ）のＡ２−Ａ２断面図である。
【０１１０】
実施形態５に係るプロジェクタ１０００Ｅ（図示せず。）は、第１レンズアレイの構成（及びそれに伴った第２レンズアレイの構成）が実施形態１〜４に係るプロジェクタ１０００〜１０００Ｄの場合とは異なっている。すなわち、実施形態５に係るプロジェクタ１０００Ｅにおいては、中心領域と周辺領域とが光源光軸１１０Ｅａｘからの距離で分離されている。
【０１１１】
このように、実施形態５に係るプロジェクタ１０００Ｅは、第１レンズアレイの構成（及びそれに伴った第２レンズアレイの構成）が実施形態１〜４に係るプロジェクタ１０００〜１０００Ｄの場合とは異なっているが、実施形態１〜４に係るプロジェクタ１０００〜１０００Ｄの場合と同様に、液晶装置４００Ｒ，４００Ｇ，４００Ｂ（図示せず。）の画像形成領域における縦横方向のうち、ｘ軸方向に沿った横方向については画像形成領域の全体を、ｙ軸方向に沿った縦方向についてはその画像形成領域の一部を照明するような断面形状（すなわち縦方向に圧縮された断面形状）を有する照明光束を、液晶装置４００Ｒ，４００Ｇ，４００Ｂの画面書込み周波数に同期して画像形成領域上でｙ軸方向に沿って走査することができるようになるため、液晶装置４００Ｒ，４００Ｇ，４００Ｂの画像形成領域においては光照射領域と光非照射領域とが順次交互にスクロールされるようになる。その結果、尾引き現象が緩和され、滑らかで良質な動画表示が得られるプロジェクタとなる。
【０１１２】
また、実施形態５に係るプロジェクタ１０００Ｅによれば、上記したように縦方向に圧縮された断面形状を有する照明光束を、第１レンズアレイ１２０Ｅとして第１小レンズ１２２Ｅ及び第２小レンズ１２４Ｅの平面形状を縦方向に圧縮したレンズアレイを用いることによって実現しているため、光シャッタを用いる場合と異なり、光源装置１１０から射出される照明光束を無駄無く液晶装置４００Ｒ，４００Ｇ，４００Ｂの画像形成領域に導くことができるようになり、光利用効率が大幅に低下することがなくなる。
【０１１３】
このため、実施形態５に係るプロジェクタ１０００Ｅは、滑らかで良質な動画表示が得られるようにした場合であっても光利用効率が大幅に低下しないプロジェクタとなる。
【０１１４】
また、実施形態５に係るプロジェクタ１０００Ｅによれば、第１レンズアレイ１２０Ｅの中心領域に配置される第２小レンズ１２４Ｅが第１レンズアレイ１２０Ｅの周辺領域に配置される第１小レンズ１２２Ｅよりも小さく、かつ、第１小レンズ１２２Ｅよりも第２レンズアレイ１３０Ｅ（図示せず。）に近接して配置されているため、第１レンズアレイ１２０Ｅの中心領域に配置される第２小レンズ１２４Ｅからの光による第２レンズアレイ１３０Ｅ上におけるアーク像を小さくすることができるようになる。このため、第２レンズアレイ１３０Ｅにおけるこれらのアーク像の分離をするのが容易になり、光利用効率が低下したり迷光が増加したりすることを効果的に抑制することができるようになる。
【０１１５】
〔実施形態６〕
図１３は、実施形態６における第１レンズアレイ１２０Ｆの構造を説明するために示す図である。図１３（ａ）は第１レンズアレイ１２０Ｆをｚ軸方向に沿った方向から見た図であり、図１３（ｂ）はｙ軸方向に沿った方向から見た図であり、図１３（ｃ）はｘ軸方向に沿った方向から見た図であり、図１３（ｄ）は第１レンズアレイ１２０Ｆによって照明光束が集束される様子を模式的に示す図である。なお、図１３（ｃ）においては、第１小レンズ１２２Ｆと第２小レンズ１２４Ｆとの位置関係を明確にするために、ｘ軸方向に沿った方向からは見えない第２小レンズ１２４Ｆの頂部を破線で示している。
【０１１６】
実施形態６に係るプロジェクタ１０００Ｆ（図示せず。）は、第１レンズアレイの構成が実施形態１〜５に係るプロジェクタ１０００〜１０００Ｅの場合とは異なっている。すなわち、実施形態６に係るプロジェクタ１０００Ｆにおいては、図１３に示すように、第１小レンズ１２２Ｆ及び第２小レンズ１２４Ｆがともに第１レンズアレイ１２０Ｆの光入射面側に形成されている。
【０１１７】
このように、実施形態６に係るプロジェクタ１０００Ｆは、第１レンズアレイの構成が実施形態１〜５に係るプロジェクタ１０００〜１０００Ｅの場合とは異なっているが、実施形態１〜５に係るプロジェクタ１０００〜１０００Ｅの場合と同様に、液晶装置４００Ｒ，４００Ｇ，４００Ｂ（図示せず。）の画像形成領域における縦横方向のうち、ｘ軸方向に沿った横方向については画像形成領域の全体を、ｙ軸方向に沿った縦方向についてはその画像形成領域の一部を照明するような断面形状（すなわち縦方向に圧縮された断面形状）を有する照明光束を、液晶装置４００Ｒ，４００Ｇ，４００Ｂの画面書込み周波数に同期して画像形成領域上でｙ軸方向に沿って走査することができるようになるため、液晶装置４００Ｒ，４００Ｇ，４００Ｂの画像形成領域においては光照射領域と光非照射領域とが順次交互にスクロールされるようになる。その結果、尾引き現象が緩和され、滑らかで良質な動画表示が得られるプロジェクタとなる。
【０１１８】
また、実施形態６に係るプロジェクタ１０００Ｆによれば、上記したように縦方向に圧縮された断面形状を有する照明光束を、第１レンズアレイ１２０Ｆとして第１小レンズ１２２Ｆ及び第２小レンズ１２４Ｆの平面形状を縦方向に圧縮したレンズアレイを用いることによって実現しているため、光シャッタを用いる場合と異なり、光源装置１１０から射出される照明光束を無駄無く液晶装置４００Ｒ，４００Ｇ，４００Ｂの画像形成領域に導くことができるようになり、光利用効率が大幅に低下することがなくなる。
【０１１９】
このため、実施形態６に係るプロジェクタ１０００Ｆは、滑らかで良質な動画表示が得られるようにした場合であっても光利用効率が大幅に低下しないプロジェクタとなる。
【０１２０】
また、実施形態４に係るプロジェクタ１０００Ｆによれば、第１レンズアレイ１２０Ｆの中心領域に配置される第２小レンズ１２４Ｆが第１レンズアレイ１２０Ｆの周辺領域に配置される第１小レンズ１２２Ｆよりも小さく、かつ、第１小レンズ１２２Ｆよりも第２レンズアレイ１３０Ｆ（図示せず。）に近接して配置されているため、第１レンズアレイ１２０Ｆの中心領域に配置される第２小レンズ１２４Ｆからの光による第２レンズアレイ１３０Ｆ上におけるアーク像を小さくすることができるようになる。このため、第２レンズアレイ１３０Ｆにおけるこれらのアーク像の分離をするのが容易になり、光利用効率が低下したり迷光が増加したりすることを効果的に抑制することができるようになる。
【０１２１】
〔実施形態７〕
図１４は、実施形態７に係るプロジェクタ１０００Ｇの光学系を示す図である。図１４（ａ）は光学系を上面から見た図であり、図１４（ｂ）は光学系を側面から見た図である。
【０１２２】
実施形態７に係るプロジェクタ１０００Ｇは、図１４（ａ）に示すように、実施形態１に係るプロジェクタ１０００とは、色分離光学系の構成が異なっている。
すなわち、実施形態７に係るプロジェクタ１０００Ｇにおいては、色分離光学系２００Ｂとして、各液晶装置４００Ｒ，４００Ｇ，４００Ｂ上で光照射領域と光非照射領域とがスクロールされる方向をすべて同一の方向とするために、ダブルリレー光学系を用いている。
【０１２３】
このように、実施形態７に係るプロジェクタ１０００Ｇは、実施形態１に係るプロジェクタ１０００とは、色分離光学系の構成が異なるが、実施形態１に係るプロジェクタ１０００の場合と同様に、液晶装置４００Ｒ，４００Ｇ，４００Ｂの画像形成領域における縦横方向のうち、ｘ軸方向に沿った横方向については画像形成領域の全体を、ｙ軸方向に沿った縦方向についてはその画像形成領域の一部を照明するような断面形状（すなわち縦方向に圧縮された断面形状）を有する照明光束を、液晶装置４００Ｒ，４００Ｇ，４００Ｂの画面書込み周波数に同期して画像形成領域上でｙ軸方向に沿って走査することができるようになるため、液晶装置４００Ｒ，４００Ｇ，４００Ｂの画像形成領域においては光照射領域と光非照射領域とが順次交互にスクロールされるようになる。その結果、尾引き現象が緩和され、滑らかで良質な動画表示が得られるプロジェクタとなる。
【０１２４】
また、実施形態７に係るプロジェクタ１０００Ｇによれば、上記したように縦方向に圧縮された断面形状を有する照明光束を、第１レンズアレイ１２０として第１小レンズ１２２及び第２小レンズ１２４（ともに図示せず。）の平面形状を縦方向に圧縮したレンズアレイを用いることによって実現しているため、光シャッタを用いる場合と異なり、光源装置１１０から射出される照明光束を無駄無く液晶装置４００Ｒ，４００Ｇ，４００Ｂの画像形成領域に導くことができるようになり、光利用効率が大幅に低下することがなくなる。
【０１２５】
このため、実施形態７に係るプロジェクタ１０００は、滑らかで良質な動画表示が得られるようにした場合であっても光利用効率が大幅に低下しないプロジェクタとなる。
【０１２６】
また、実施形態７に係るプロジェクタ１０００Ｇによれば、第１レンズアレイ１２０の中心領域に配置される第２小レンズ１２４が第１レンズアレイ１２０の周辺領域に配置される第１小レンズ１２２よりも小さく、かつ、第１小レンズ１２２よりも第２レンズアレイ１３０に近接して配置されているため、第１レンズアレイ１２０の中心領域に配置される第２小レンズ１２４からの光による第２レンズアレイ１３０上におけるアーク像を小さくすることができるようになる。このため、第２レンズアレイ１３０におけるこれらのアーク像の分離をするのが容易になり、光利用効率が低下したり迷光が増加したりすることを効果的に抑制することができるようになる。
【０１２７】
以上、本発明のプロジェクタを上記の各実施形態に基づいて説明したが、本発明は上記の各実施形態に限られるものではなく、その要旨を逸脱しない範囲において種々の態様において実施することが可能であり、例えば次のような変形も可能である。 
【０１２８】
（１）上記各実施形態のプロジェクタ１０００〜１０００Ｇは透過型のプロジェクタであるが、本発明は反射型のプロジェクタにも適用することが可能である。ここで、「透過型」とは、透過型の液晶装置等のように光変調手段としての電気光学変調装置が光を透過するタイプであることを意味しており、「反射型」とは、反射型液晶装置のように光変調手段としての電気光学変調装置が光を反射するタイプであることを意味している。反射型のプロジェクタにこの発明を適用した場合にも、透過型のプロジェクタと同様の効果を得ることができる。 
【０１２９】
（２）上記各実施形態のプロジェクタ１０００〜１０００Ｇは、電気光学変調装置として液晶装置を用いているが、本発明はこれに限られない。電気光学変調装置としては、一般に、入射光を画像情報に応じて変調するものであればよく、マイクロミラー型光変調装置などを利用してもよい。マイクロミラー型光変調装置としては、例えば、ＤＭＤ（デジタルマイクロミラーデバイス）（ＴＩ社の商標）を用いることができる。 
【０１３０】
（３）上記各実施形態のプロジェクタ１０００〜１０００Ｇは、第１レンズアレイ１２０〜１２０Ｆの各小レンズ１２２〜１２２Ｆ，１２４〜１２４Ｆの平面形状としては、「縦寸法：横寸法＝１：４の長方形」のものを用いたが、本発明はこれに限られず、例えば、「縦寸法：横寸法＝９：３２の長方形」のものや「縦寸法：横寸法＝３：８の長方形」のものなどをも好ましく用いることができる。
【０１３１】
（４）上記各実施形態のプロジェクタ１０００〜１０００Ｇは、走査手段として、回転プリズム７７０を用いたが、本発明はこれに限られず、例えば、ガルバノミラー、ポリゴンミラー、ＤＭＤ（デジタルマイクロミラーデバイス）（ＴＩ社の商標）などをも好ましく用いることができる。
【０１３２】
（５）上記各実施形態のプロジェクタ１０００〜１０００Ｇは、光源装置１１０として、楕円面リフレクタ１１４と、楕円面リフレクタ１１４の第１焦点近傍に発光中心を有する発光管１１２と、平行化レンズ１１８とを有する光源装置を用いたが、本発明はこれに限られず、放物面リフレクタと、放物面リフレクタの焦点近傍に発光中心を有する発光管とを有する光源装置をも好ましく用いることができる。
【０１３３】
（６）上記実施形態６のプロジェクタ１０００Ｆは、第１小レンズ１２２Ｆ及び第２小レンズ１２４Ｆがともに光入射面側に形成された第１レンズアレイ１２０Ｆを用いたが、本発明はこれに限られず、第１小レンズ及び第２小レンズがともに光射出面側に形成された第１レンズアレイをも好ましく用いることができる。この場合には、この第１レンズアレイは、第２小レンズのところが突出した形状を有することになる。
【０１３４】
（７）上記各実施形態のプロジェクタ１０００〜１０００Ｇは、尾引き対策を目的とするプロジェクタにおいて、第２小レンズを、第１小レンズよりも小さくするとともに、第１小レンズよりも第２レンズアレイに近接して配置するようにしたことにより、光利用効率が低下したり迷光が増加したりすることを効果的に抑制することができるプロジェクタであるが、本発明はこれに限られない。すなわち、尾引き対策を目的としない一般のプロジェクタにおいて、第２小レンズを、第１小レンズよりも小さくするとともに、第１小レンズよりも第２レンズアレイに近接して配置することによっても、光利用効率が低下したり迷光が増加したりすることを効果的に抑制することができる。
【図面の簡単な説明】
【０１３５】
【図１】実施形態１に係るプロジェクタを説明するために示す図。
【図２】実施形態１における楕円面リフレクタ及び補助ミラーの形状を説明するために示す図。
【図３】実施形態１における第１レンズアレイの構造を説明するために示す図。
【図４】比較例における第１レンズアレイの構造を説明するために示す図。
【図５】第１レンズアレイの光入射面上の照明光束の断面における光強度分布を等高線で示す図。
【図６】第１レンズアレイによって照明光束が集束される様子を模式的に示す図。
【図７】第２レンズアレイ上のアーク像を示す図である。
【図８】回転プリズムの回転と液晶装置上の照明状態との関係を示す図。
【図９】実施形態２における第１レンズアレイの構造を説明するために示す図。
【図１０】実施形態３における第１レンズアレイの構造を説明するために示す図。
【図１１】実施形態４における第１レンズアレイの構造を説明するために示す図。
【図１２】実施形態５における第１レンズアレイの構造を説明するために示す図。
【図１３】実施形態６における第１レンズアレイの構造を説明するために示す図。
【図１４】実施形態７に係るプロジェクタの光学系を示す図。
【図１５】従来のプロジェクタを説明するために示す図。
【図１６】従来の他のプロジェクタを説明するために示す図。
【符号の説明】
【０１３６】
１００…照明装置、１００ａｘ，１００ａａｘ…照明光軸、１１０…光源装置、１１０ａｘ，１１０ａａｘ，１１０Ｂａｘ，１１０Ｃａｘ，１１０Ｄａｘ，１１０Ｅａｘ，１１０Ｆａｘ…光源光軸、１１２…発光管、１１４…楕円面リフレクタ、１１６…補助ミラー、１１８…平行化レンズ、１２０，１２０ａ，１２０Ｂ，１２０Ｃ，１２０Ｄ，１２０Ｅ，１２０Ｆ…第１レンズアレイ、１２２，１２２ａ，１２２Ｂ，１２２Ｃ，１２２Ｄ，１２２Ｅ，１２２Ｆ…第１小レンズ、１２４，１２４ａ，１２４Ｂ，１２４Ｃ，１２４Ｄ，１２４Ｅ，１２４Ｆ…第２小レンズ、１３０，１３０ａ，１３０Ｆ…第２レンズアレイ、１３２，１３２ａ…第１小レンズ、１３４，１３４ａ…第２小レンズ、１４０，１４０ａ…偏光変換素子、１５０…重畳レンズ、２００，２００Ｂ…色分離光学系、４００Ｒ，４００Ｇ，４００Ｂ…液晶装置、５００…クロスダイクロイックプリズム、６００…投写光学系、７７０…回転プリズム、７７２…回転軸、９００Ａ，９００Ｂ，１０００，１０００Ｇ…プロジェクタ、Ｌ…照明光束、Ｐ…照明光軸上における第１レンズアレイの仮想中心点の像、ＳＣＲ…スクリーン
【図１】
2006065151.tif 000003
【図３】
2006065151.tif 000004
【図４】
2006065151.tif 000005
【図９】
2006065151.tif 000006
【図１０】
2006065151.tif 000007
【図１１】
2006065151.tif 000008
【図１２】
2006065151.tif 000009
【図１４】
2006065151.tif 000010
【図１５】
2006065151.tif 000011
【図１６】
2006065151.tif 000012
【図２】
2006065151.tif 000013
【図５】
2006065151.tif 000014
【図６】
2006065151.tif 000015
【図７】
2006065151.tif 000016
【図８】
2006065151.tif 000017
【図１３】
2006065151.tif 000018